(57)【要約】【課題】駆動磁石によって生じる磁界を有効利用して、対物レンズの駆動感度の向上を図る。【解決手段】対物レンズ１７を保持する対物レンズ保持部材１６の幅に対して、十分に大きい１組の駆動磁石１９を、その両端が突出するように対物レンズ保持部材１６の一側と他側に固定する。そして、対物レンズ保持部材１６に固定された駆動磁石１９の相互に対向する対向面側と、その対向面とは反対の面側との双方に駆動コイル２２Ａ,２２Ｂ,２３Ａ,２３Ｂを配置して、駆動磁石１９によって生じる磁界の有効利用を図る。これにより、対物レンズ保持部材１６を高感度に駆動することが可能となる。【選択図】図１
2008159099.tif 000002
【特許請求の範囲】
【請求項１】
光ディスクにレーザ光を集光する対物レンズを駆動する対物レンズ駆動装置であって、
前記対物レンズを保持する保持部材と；
前記保持部材に対して、前記光ディスクの半径方向に平行なトラッキング方向の両端部が突出した状態で、前記保持部材の、前記光ディスクの接線方向に平行なタンジェンシャル方向の一側と他側に、相互に対向した状態で固定された少なくとも１組の駆動磁石と；
前記一組の駆動磁石それぞれの、前記タンジェンシャル方向の一側と他側に配置され、前記１組の駆動磁石との相互作用により、前記保持部材を駆動する複数の駆動コイルと；を備える対物レンズ駆動装置。
【請求項２】
前記複数の駆動コイルは、前記１組の駆動磁石の間に配置された少なくとも１組の第１駆動コイルと、前記第１駆動コイルの中心軸と直交する方向を中心軸とし、前記１組の駆動磁石の前記タンジェンシャル方向の一側と他側に配置された少なくとも１組の第２駆動コイルとを含むことを特徴とする請求項１に記載の対物レンズ駆動装置。
【請求項３】
前記１組の駆動磁石は、相互に対向する面の磁極が等しくなるように着磁され、前記第１駆動コイルは、中心軸が、前記トラッキング方向、又は、前記タンジェンシャル方向及び前記トラッキング方向に直交するフォーカス方向と平行になるように配置されていることを特徴とする請求項２に記載の対物レンズ駆動装置。
【請求項４】
前記第１駆動コイルと前記第２駆動コイルのコアは磁気的に接続されていることを特徴とする請求項３に記載の対物レンズ駆動装置。
【請求項５】
前記１組の駆動磁石は、相互に対向する面の磁極が異なるように着磁され、前記第１駆動コイルは、中心軸が前記タンジェンシャル方向と平行になるように配置されていることを特徴とする請求項２に記載の対物レンズ駆動装置。
【請求項６】
前記第１駆動コイルは、磁性部材を介して前記タンジェンシャル方向に配置された第１、第２部分を有することを特徴とする請求項５に記載の対物レンズ駆動装置。
【請求項７】
前記駆動磁石は、前記第１駆動コイルのフォーカシング方向に電流が流れる２つの部分にそれぞれ対向する部分相互間での磁極が異なるように着磁されていることを特徴とする請求項５又は６に記載の対物レンズ駆動装置。
【請求項８】
前記駆動磁石は、前記両端部が、それ以外の部分よりも厚くなるように成形されていることを特徴とする請求項１〜７のいずれか一項に記載の対物レンズ駆動装置。
【請求項９】
前記駆動磁石は、前記両端部の前記フォーカシング方向の大きさが、それ以外の部分よりも大きくなるように成形されていることを特徴とする請求項１〜８のいずれか一項に記載の対物レンズ駆動装置。
【請求項１０】
前記第１駆動コイル及び前記第２駆動コイルの少なくとも一方は、プリント基板に形成されたプリントコイルであることを特徴とする請求項２〜８のいずれか一項に記載の対物レンズ駆動装置。
【請求項１１】
前記１組の第１駆動コイル及び前記１組の第２駆動コイルのうち、前記１組の駆動磁石を前記フォーカス方向へ駆動する１組の駆動コイルを、相互に逆方向又はそれぞれ異なるパワーで励磁させて、前記対物レンズをチルト駆動することを特徴とする請求項２〜１０のいずれか一項に記載の対物レンズ駆動装置。
【請求項１２】
光ディスクに対してレーザ光を照射するとともに反射光を受光する光ピックアップであって、
前記レーザ光を射出する光源と；
前記光源から射出されたレーザ光を、前記光ディスクの記録面に集光する請求項１〜１１のいずれか一項に記載の対物レンズ駆動装置と；
前記光ディスクの記録面で反射された反射光を受光する受光系と；を備える光ピックアップ。
【請求項１３】
光ディスクに対して情報の記録及び再生の少なくとも一方を行う光ディスク装置であって、
前記光ディスクを回転する回転駆動系と；
前記回転駆動系によって回転される光ディスクの記録面にレーザ光を照射する請求項１２に記載の光ピックアップと；
前記光ピックアップを光ディスクのトラッキング方向へ移動するシーク系と；を備える光ディスク装置。
【発明の詳細な説明】
【技術分野】
【０００１】
本発明は、対物レンズ駆動装置、光ピックアップ、及び情報記録再生装置に係り、更に詳しくは、レーザ光を集光する対物レンズを駆動する対物レンズ駆動装置、該対物レンズ駆動装置を備える光ピックアップ、該光ピックアップを備える光ディスク装置に関する。
【背景技術】
【０００２】
近年、デジタル技術の進歩やデータの圧縮技術の向上などにともない、例えばＤＶＤ（digital versatile disc）や、ＢＤ（Blu-ray disc）などをはじめとする大容量光ディスクが記録媒体として広く普及している。これらの大容量光ディスクでは、情報の記録及び再生をする際に、高速回転する光ディスクのトラックにレーザ光を精度よく集光させる必要があるため、光ディスクの撓みやトラックの偏心度合いに応じて、レーザ光を集光する対物レンズを高速に駆動する必要がある。
【０００３】
この種の対物レンズを駆動する駆動装置としては、可動部の軽量化を図り対物レンズを高速に駆動すると同時に、駆動に伴う可動部の高次共振を抑制する必要がある。そこで、高次共振特性に優れたムービングマグネット方式を採用しつつも、対物レンズを高速に駆動することが可能な駆動装置が提案されている（例えば特許文献１参照）。
【０００４】
特許文献１に記載の駆動装置は、駆動磁石を、コイルの一側と他側の面それぞれに対向するように配置して、電磁力が作用するコイルの有効面積を２倍にすることで、対物レンズの駆動感度の向上を図ったものである。しかしながら、この駆動装置では、コイルに作用する磁界の一部が、対向する磁石同士間で相殺されてしまうという不都合がある。また、駆動コイルの内部には小さな磁性体片が配置され、駆動磁界からの磁力線はＮ極から駆動コイルの磁性体片に入った後、どこからか駆動コイルの外に出て磁石のＳ極に戻ることになる。このため磁石近傍のタンジェンシャル方向の磁界によっては有効な力が発生するが、駆動コイルの別の部分では不要な力が発生してしまい駆動性能を低下させてしまうことになる。更に、この駆動装置では、４つの駆動磁石が可動部の両側に配置されているため、可動部が弾性変形することに起因する高次共振特性の悪化も考えられる。
【０００５】
【特許文献１】特開２００１−３３１９５６号公報
【発明の開示】
【発明が解決しようとする課題】
【０００６】
本発明は、かかる事情の下になされたもので、その第１の目的は、駆動磁石によって生じる磁界を有効利用して、対物レンズの駆動感度の向上を図ることが可能な対物レンズ駆動装置を提供することにある。
【０００７】
また、本発明の第２の目的は、レーザ光を精度よく光ディスクのトラック上に集光することが可能な光ピックアップを提供することにある。
【０００８】
また、本発明の第３の目的は、光ディスクに対して情報の記録及び再生の少なくとも一方を精度よく行うことが可能な光ディスク装置を提供することにある。
【課題を解決するための手段】
【０００９】
本発明は第１観点からすると、光ディスクにレーザ光を集光する対物レンズを駆動する対物レンズ駆動装置であって、前記対物レンズを保持する保持部材と；前記保持部材に対して、前記光ディスクの半径方向に平行なトラッキング方向の両端部が突出した状態で、前記保持部材の、前記光ディスクの接線方向に平行なタンジェンシャル方向の一側と他側に、相互に対向した状態で固定された少なくとも１組の駆動磁石と；前記一組の駆動磁石それぞれの、前記タンジェンシャル方向の一側と他側に配置され、前記１組の駆動磁石との相互作用により、前記保持部材を駆動する複数の駆動コイルと；を備える対物レンズ駆動装置である。
【００１０】
これによれば、対物レンズを保持する保持部材に固定された駆動磁石は、その両端がトラッキング方向へ突出し、複数の駆動コイルが１組の駆動磁石それぞれの一側と他側に配置されている。したがって、各駆動磁石の一側と他側に生じる磁界の双方を利用することができ、対物レンズの駆動感度を向上することが可能となる。
【００１１】
また、本発明は第２の観点からすると、光ディスクに対してレーザ光を照射するとともに反射光を受光する光ピックアップであって、前記レーザ光を射出する光源と；前記光源から射出されたレーザ光を、前記光ディスクの記録面に集光する本発明の対物レンズ駆動装置と；前記光ディスクの記録面で反射された反射光を受光する受光系と；を備える光ピックアップである。
【００１２】
これによれば、光ピックアップは、本発明の対物レンズ駆動装置を備えている。したがって、対物レンズを感度よく駆動することでレーザ光を精度よく光ディスクのトラック上へ集光することが可能となる。
【００１３】
また、本発明は第３の観点からすると、光ディスクに対して情報の記録及び再生の少なくとも一方を行う光ディスク装置であって、前記光ディスクを回転する回転駆動系と；前記回転駆動系によって回転される光ディスクの記録面にレーザ光を照射する本発明の光ピックアップと；前記光ピックアップを光ディスクのトラッキング方向へ移動するシーク系と；を備える光ディスク装置である。
【００１４】
これによれば、光ディスク装置は本発明の光ピックアップを備えている。したがって、レーザ光を精度よく光ディスクのトラック上に集光することで、光ディスクに対する情報の記録及び再生の少なくとも一方を精度よく行うことが可能となる。
【発明を実施するための最良の形態】
【００１５】
《第１の実施形態》
以下、本発明の第１の実施形態を図１に基づいて説明する。図１は第１の実施形態に係る対物レンズ駆動装置１０Ａを示す斜視図である。図１に示されるように、対物レンズ駆動装置１０Ａは、ベース１２、ベース１２に固定された支持部材１４、該支持部材１４に支持ワイヤ１８を介して支持された対物レンズ保持部材１６、対物レンズ保持部材１６の外周面を包囲するように配置されたコイルユニット２０、対物レンズ保持部材１６に固定された１組の駆動磁石１９などを備えている。
【００１６】
前記ベース１２は、長手方向をＹ軸方向とする枠状の部材からなり、その上面の、−Ｙ側端部には支持部材１４が固定され、支持部材１４の＋Ｙ側にはコイルユニット２０が固定されている。
【００１７】
前記支持部材１４は、Ｘ軸方向を長手方向としてベース１２の上面に固定され、適度な弾性力を有し、Ｙ軸方向を長手方向とする４本の支持ワイヤ１８の−Ｙ側端部を支持している。
【００１８】
図２は、コイルユニット２０を省略し、支持部材１４に支持ワイヤ１８を介して支持された対物レンズ保持部材１６を示す斜視図である。図２に示されるように、前記対物レンズ保持部材１６は、Ｚ軸方向に貫通する不図示の貫通孔が形成された立方体状の部材であり、上面には前記貫通孔とほぼ同径の対物レンズ１７が、光軸をＺ軸方向として固定されている。また、この対物レンズ保持部材１６は、＋Ｘ側及び−Ｘ側の面の−Ｙ側コーナー部分に４つの連結部１６ａがそれぞれ形成され、これらの連結部１６ａに支持ワイヤ１８の＋Ｙ側端部が連結されることで、対物レンズ１７がほぼ水平になるように４本の支持ワイヤ１８で弾性支持されている。
【００１９】
前記１組の駆動磁石１９は、長手方向をＸ軸方向とする長方形板状の永久磁石であり、例えば対向する面同士がＮ極（図中の着色された面側）となるように、それぞれ対物レンズ保持部材１６の＋Ｙ側及び−Ｙ側の面に固定されている。また、これらの駆動磁石１９は、Ｘ軸方向の長さが対物レンズ保持部材１６の幅よりも十分に大きくなっており、＋Ｘ側及び−Ｘ側端部それぞれは、対物レンズ保持部材１６の＋Ｘ側及び−Ｘ側の面それぞれから突出した状態となっている。以下、説明の便宜上、駆動磁石１９の突出した部分を単に突出部ともいうものとする。
【００２０】
図３は、前記コイルユニット２０を示す斜視図である。図３に示されるように、コイルユニット２０は、ベース１２に固定されるヨーク部材２１と、１組のフォーカス駆動コイル２２Ａ,２２Ｂと、１組のトラック駆動コイル２３Ａ,２３Ｂとを備えている。
【００２１】
前記ヨーク部材２１は、鉄などの磁性体を素材とする部材であり、図４に示されるように、ベース１２の上面に固定される矩形状のフレーム部２１ａと、該フレーム部２１ａの＋Ｙ側及び−Ｙ側の部分に形成されたＸ軸方向を長手方向とする１組の第１ヨーク部２１ｃと、＋Ｘ側及び−Ｘ側の部分に形成されたＬ字状の１組の第２ヨーク部２１ｂとを有している。そして、図３に示されるように、１組の第１ヨーク部２１ｃそれぞれには、Ｚ軸に平行な軸回りに巻き線された１組のフォーカス駆動コイル２２Ａ,２２Ｂがそれぞれ取り付けられ、１組の第２ヨーク部２１ｂには、Ｘ軸に平行な軸回りに巻き線されたトラック駆動コイル２３Ａ,２３Ｂがそれぞれ取り付けられている。
【００２２】
上記のように構成されたコイルユニット２０は、図１に示されるように、フォーカス駆動コイル２２Ａ,２２Ｂが、対物レンズ保持部材１６の−Ｙ側及び＋Ｙ側に駆動磁石１９をそれぞれ介して配置され、トラック駆動コイル２３Ａ,２３Ｂが、対物レンズ保持部材１６の−Ｘ側及び＋Ｘ側の駆動磁石１９に挟まれた空間に配置されている。これにより、図５中に矢印で示されるように、１組の駆動磁石１９のＮ極からでた磁力線は、ヨーク部材２１の第２ヨーク部２１ｂ、フレーム部２１ａ、及び第１ヨーク部２１ｃを介して駆動磁石１９のＳ極に戻るようになっている。
【００２３】
本第１の実施形態に係る対物レンズ駆動装置１０Ａは、光ディスクに対して、Ｘ軸方向がトラッキング方向、Ｙ軸方向がタンジェンシャル方向、Ｚ軸方向がフォーカシング方向として配置され、Ｚ軸方向に進行し対物レンズ１７に入射した光ビームを光ディスクの記録層に集光するようになっている。そして、フォーカス駆動コイル２２Ａ,２２Ｂを励磁することで、該フォーカス駆動コイル２２Ａ,２２Ｂと駆動磁石１９との相互作用により対物レンズ１７をフォーカシング方向（Ｚ軸方向）へ駆動し、トラック駆動コイル２３Ａ,２３Ｂを励磁することで、該トラック駆動コイル２３Ａ,２３Ｂと駆動磁石１９との相互作用により対物レンズ１７をトラッキング方向へ駆動することが可能となっている。また、フォーカス駆動コイル２２Ａ,２２Ｂを互いに逆方向へ励磁することで、対物レンズ１７をＸ軸に平行な軸回りに回動することが可能となっている。
【００２４】
以上説明したように、本第１の実施形態に係る対物レンズ駆動装置１０Ａでは、対物レンズ保持部材１６に固定された１組の駆動磁石１９のトラッキング方向両端が、図１に示されるように、それぞれ対物レンズ保持部材１６の−Ｘ側及び＋Ｘ側の面から突出し、駆動磁石１９のＮ極側にトラック駆動コイル２３Ａ,２３Ｂが配置され、Ｓ極側にフォーカス駆動コイル２２Ａ,２２Ｂが配置されている。これにより、駆動磁石１９のＮ極側の磁界と、Ｓ極側の磁界との双方を利用することが可能となり、対物レンズ１７の駆動感度を向上することが可能となる。
【００２５】
また、フォーカス駆動コイル２２Ａ,２２Ｂと、トラック駆動コイル２３Ａ,２３Ｂとは、磁性材料で形成されたヨーク部材２１に形成された第１、第２ヨーク部２１ｂ,２１ｃにそれぞれ取り付けられ、駆動磁石１９のＮ極からの磁力線は、図５に示されるように、ヨーク部材２１を含んで形成される磁気回路に沿ってＳ極に向かう。これにより、１組の駆動磁石１９の相互に対向するＮ極からの磁力線は、互いに反発することなくフォーカス駆動コイル２２Ａ,２２Ｂ及びトラック駆動コイル２３Ａ,２３Ｂを効率よく貫くようになるため、駆動磁石１９により生じる磁界を効率よく利用することができ、結果的に対物レンズ１７の駆動感度を向上することが可能となる。
【００２６】
《第２の実施形態》
次に、本発明の第２の実施形態を図６〜図８に基づいて説明する。なお、前述した第１の実施形態と同一もしくは同等の構成部分には同一の符号を用いるとともにその説明を省略もしくは簡略するものとする。
【００２７】
図６は第２の実施形態に係る対物レンズ駆動装置１０Ｂを示す斜視図である。この対物レンズ駆動装置１０Ｂは、上述した第１の実施形態に係る対物レンズ駆動装置１０Ａと比較して、コイルユニット２０に含まれるヨーク部材２１の形状と、各コイル２２Ａ,２２Ｂ,２３Ａ,２３Ｂの取り付け位置が大きく異なっている点で相違している。
【００２８】
図７は、前記コイルユニット２０を示す斜視図である。図７に示されるように、コイルユニット２０のヨーク部材２１は長方形枠状の第１ヨーク部２１ｄと、該第１ヨーク部２１ｄの＋Ｘ側及び−Ｘ側に接続されるＬ字状の１組の第２ヨーク部２１ｅとを有している。そして、このヨーク部材２１の第２ヨーク部２１ｅには、Ｚ軸に平行な軸回りに巻き線された１組のフォーカス駆動コイル２２Ａ，２２Ｂがそれぞれ取り付けられ、第１ヨーク部２１ｄの＋Ｙ側及び−Ｙ側には、Ｘ軸に平行な軸回りに巻き線された１組のトラック駆動コイル２３Ａ,２３Ｂがそれぞれ取り付けられている。
【００２９】
上記のように構成されたコイルユニット２０は、図６に示されるように、トラック駆動コイル２３Ａ,２３Ｂが、対物レンズ保持部材１６の−Ｙ側及び＋Ｙ側に駆動磁石１９をそれぞれ介して配置され、フォーカス駆動コイル２２Ａ,２２Ｂが、対物レンズ保持部材１６の−Ｘ側及び＋Ｘ側の駆動磁石１９に挟まれた空間に配置されている。これにより、図８中に矢印で示されるように、１組の駆動磁石１９のＮ極からでた磁力線は、ヨーク部材２１の第２ヨーク部２１ｅ、及び第１ヨーク部２１ｄを介して駆動磁石１９のＳ極に戻るようになっている。
【００３０】
そして、本第２の実施形態に係る対物レンズ駆動装置１０Ｂでは、フォーカス駆動コイル２２Ａ,２２Ｂを励磁することで、該フォーカス駆動コイル２２Ａ,２２Ｂと駆動磁石１９との相互作用により対物レンズ１７をフォーカシング方向（Ｚ軸方向）へ駆動し、トラック駆動コイル２３Ａ,２３Ｂを励磁することで、該トラック駆動コイル２３Ａ,２３Ｂと駆動磁石１９との相互作用により対物レンズ１７をトラッキング方向へ駆動することが可能となっている。また、フォーカス駆動コイル２２Ａ,２２Ｂを互いに逆方向へ励磁することで、対物レンズ１７をＹ軸に平行な軸回りに回動することが可能となっている。
【００３１】
以上説明したように、本第２の実施形態に係る対物レンズ駆動装置１０Ｂでは、対物レンズ保持部材１６に固定された１組の駆動磁石１９のトラッキング方向両端が、図６に示されるように、それぞれ対物レンズ保持部材１６の−Ｘ側及び＋Ｘ側の面から突出し、駆動磁石１９のＮ極側にフォーカス駆動コイル２２Ａ,２２Ｂが配置され、Ｓ極側にトラック駆動コイル２３Ａ,２３Ｂが配置されている。これにより、駆動磁石１９のＮ極側の磁界と、Ｓ極側の磁界との双方を利用することが可能となり、対物レンズ１７の駆動感度を向上することが可能となる。
【００３２】
また、フォーカス駆動コイル２２Ａ,２２Ｂと、トラック駆動コイル２３Ａ,２３Ｂとは、磁性材料で形成されたヨーク部材２１に形成された第１、第２ヨーク部２１ｂ,２１ｃにそれぞれ取り付けられ、駆動磁石１９のＮ極からの磁力線は、図８に示されるように、ヨーク部材２１を含んで形成される磁気回路に沿ってＳ極に向かう。これにより、１組の駆動磁石１９の相互に対向するＮ極からの磁力線は、互いに反発することなくフォーカス駆動コイル２２Ａ,２２Ｂ及びトラック駆動コイル２３Ａ,２３Ｂを効率よく貫くようになるため、駆動磁石１９により生じる磁界を効率よく利用することができ、結果的に対物レンズ１７の駆動感度を向上することが可能となる。
【００３３】
ところで、従来の光ディスクは厚い基板（厚さ１ｍｍ程度）が用いられることが多かったが、最近ではフレキシブル光ディスクという薄い基板（厚さ０．１ｍｍ程度）を用いた光ディスクシステムが研究されている。フレキシブル光ディスクは柔軟性を備えていることから、従来の厚い基板では割れてしまうような高速回転時にも破損することがなく、高速回転によるデータ転送速度の向上が期待されている。また、スタビライザーを利用した空気安定化の技術によって高速回転でも面振れが抑えられるというメリットもある。しかしながら、トラッキング方向の偏心特性に関しては従来の光ディスクと同レベルである為、フレキシブル光ディスクシステムではフォーカシング方向の特性よりもトラッキング方向の特性の方が厳しくなる。このような場合に対物レンズ駆動装置１０Ｂでは、第１の実施形態に係る対物レンズ駆動装置１０Ａと比較して、トラック駆動コイルの有効長を長くとることができるので、フォーカシング方向（Ｚ軸方向）の加速度特性よりもトラッキング方向の加速度特性を向上させやすい。従って、フレキシブル光ディスクシステムの加速度感度特性の要求に合った対物レンズ駆動装置を提供することができる。
【００３４】
《第３の実施形態》
次に、本発明の第３の実施形態を図９〜１１に基づいて説明する。なお、前述した第１の実施形態、及び第２の実施形態と同一もしくは同等の構成部分には同一の符号を用いるとともにその説明を省略もしくは簡略するものとする。
【００３５】
図９は第３の実施形態に係る対物レンズ駆動装置１０Ｃを示す斜視図である。この対物レンズ駆動装置１０Ｃは、上述した第１及び第２の実施形態に係る対物レンズ駆動装置１０Ａ,１０Ｂと比較して、１組の駆動磁石１９の対向面の磁極が異なっている点で大きく相違している。また、それに伴いベース１２がヨーク部材の機能を兼ねるなどの構成も異なっている。
【００３６】
図１０は、前記ベース１２を示す斜視図である。図１０に示されるように、ベース１２は、例えば鉄などの磁性体を素材とし、長手方向をＹ軸方向とする長方形板状の部材からなる。ベース１２の中央やや＋Ｙ側には対物レンズ１７を透過したレーザ光が通過する円形開口１２ｃが形成され、該円形開口１２ｃの＋Ｘ側及び−Ｘ側に１対の第１ヨーク部１２ｂが形成され、＋Ｙ側及び−Ｙ側に１対の第２ヨーク部１２ａが形成されている。そして、図９に示されるように、各第１ヨーク部１２ｂの＋Ｙ側及び−Ｙ側の面にはＹ軸に平行な軸回りに巻き線された４つのトラック駆動コイル２３１〜２３４がそれぞれ固定され、各第２ヨーク部１２ａにはＺ軸に平行な軸回りに巻き線されたフォーカス駆動コイル２２Ａ,２２Ｂがそれぞれ固定されている。これにより、フォーカス駆動コイル２２Ａ,２２Ｂは、対物レンズ保持部材１６の−Ｙ側及び＋Ｙ側に駆動磁石１９をそれぞれ介して配置され、トラック駆動コイル２３１,２３２の＋Ｘ側のフォーカシング方向（Ｚ軸方向）に電流が流れる部分と、トラック駆動コイル２３３,２３４の−Ｘ側のフォーカシング方向（Ｚ軸方向）に電流が流れる部分とは駆動磁石１９に挟まれた空間に配置される。
【００３７】
この対物レンズ駆動装置１０Ｃでは、図１１中に矢印で示されるように、対物レンズ保持部材１６の−Ｙ側の駆動磁石１９のＮ極からでた磁力線は、トラック駆動コイル２３１〜２３４のフォーカシング方向（Ｚ軸方向）に電流が流れる部分を貫いて、対向する駆動磁石１９のＳ極へ入る。そして、この駆動磁石１９のＮ極から再びでて、順次フォーカス駆動コイル２２Ｂ、該フォーカス駆動コイル２２Ｂが取り付けられた第２ヨーク部１２ａ、ベース１２、フォーカス駆動コイル２２Ａ、該フォーカス駆動コイル２２Ａが取り付けられた第２ヨーク部１２ａを介して−Ｚ側の駆動磁石１９のＳ極に戻る。このため、第１の実施形態及び第２の実施形態に係る対物レンズ駆動装置１０Ａ,１０Ｂのように、ヨーク部材２１を用いて磁気回路を形成しなくても、それぞれの駆動磁石１９からの磁界が相互に打ち消し合うことがないため、多くの磁力線をトラック駆動コイル２３１〜２３４のフォーカシング方向（Ｚ軸方向）に電流が流れる部分を貫かせることでき、結果的に対物レンズ１７の駆動感度を向上することが可能となる。
【００３８】
なお、本第３の実施形態に係る対物レンズ駆動装置１０Ｃでは、４つのトラック駆動コイル２３１〜２３４を用いている。このため、ベース１２に形成された第１ヨーク部１２ｂの厚みを調整することで、トラック駆動コイル２３１〜２３４と駆動磁石１９との距離を調整することができ、例えば汎用のコイルをトラック駆動コイル２３１〜２３４として用いる場合にも、各トラック駆動コイル２３１〜２３４と駆動磁石１９との間に適度なギャップを設けることが可能となる。勿論、一例としてトラック駆動コイル２３１, ２３２と、トラック駆動コイル２３３, ２３４とを、それぞれ一体的に構成したトラック駆動コイル２３Ａ,２３Ｂを図１２に示されるように配置してもよい。
【００３９】
また、この場合において図１３に示されるように、駆動磁石１９の突出部に、駆動コイル２３のＸ軸方向一側に対向する領域Ａと他側に対向する領域Ｂとで極性が異り、かつ、駆動磁石１９の相互に対向する領域の磁極が異なるように磁極を形成してもよい。これにより、磁力線は図１３中の矢印に示されるようになるため、各駆動コイル２３の＋Ｘ側及び−Ｘ側にそれぞれ逆方向の電界が作用し、各駆動コイル２３と駆動磁石１９との相互作用により生じる電磁力を約２倍にすることが可能となる。また、領域Ａからの磁力線は領域Ｂへ戻るため、磁力線を効率よく駆動コイル２３に貫通させることが可能となり、結果的に対物レンズ１７の駆動感度を向上することが可能となる。
【００４０】
なお、上記各実施形態では、駆動磁石１９が長方形板状である場合について説明したがこれに限らず、駆動磁石１９は、一例として図１４に示されるように、対物レンズ保持部材１６の側面から突出した部分をタンデンシャル方向（Ｙ軸方向）に厚くなるように形成してもよい。このように両端部のみを厚くすることで、駆動磁石１９の重量の増加を必要最小限に抑えつつ、駆動コイル周囲の磁界の強度を上げることができる。
【００４１】
また、一例として図１５に示されるように、対物レンズ保持部材１６の側面から突出した部分をフォーカシング方向（Ｚ軸方向）に大きくなるように形成してもよい。このように両端部を大きくすることで、駆動磁石１９の重量の増加を必要最小限に抑えつつ、駆動コイルの対向面の有効面積を大きくすることができる。
【００４２】
また、上記各実施形態において、駆動コイルとしてプリント基板に形成されたプリントコイルを用いてもよい。これにより、駆動コイル表面の凹凸を抑えることができるので、駆動磁石と駆動コイルで形成されるギャップを狭くし、駆動コイルを貫く磁力線を増加させて駆動感度の向上を図ることが可能となる。
【００４３】
《光ディスク装置》
次に、本発明の対物レンズ駆動装置１０Ａを用いた光ディスク装置５０について説明する。光ディスク装置５０は、光ディスク装置５０の平面図である図１６（Ａ）と側面図である図１６（Ｂ）を総合するとわかるように、筐体５１、筐体５１上面に設けられた防振ゴム５２によってほぼ水平に支持されるピックアップモジュールベース５３、光ディスク７０をＺ軸に平行な軸回りに回動可能に支持するスピンドルモータ５４、ピックアップモジュールベース５３上面の＋Ｙ側及び−Ｙ側に、Ｘ軸方向を長手方向として延設された１対のシークレール５５、１対のシークレール５５に沿って移動することで、上述した対物レンズ駆動装置１０ＡをＸ軸方向へ移動する光ピックアップ４２などを備えている。
【００４４】
図１７は前記光ピックアップ４２の概略的な構成を示す図である。図１７に示されるように、光ピックアップ４２は、光源４３、コリメートレンズ４４、ビームスプリッタ４５、立ち上げミラー４６、集光レンズ４７、シリンドリカルレンズ４８、受光素子４９、及び対物レンズ駆動装置１０Ａを備えている。この光ピックアップ４２では、光源４３から出射したレーザ光は、コリメートレンズ４４によって略平行光に成形された後ビームスプリッタ４５を介して、立上げミラー４６に入射し上方へ反射される。そして、対物レンズ駆動装置１０Ａの対物レンズ１７に入射し光ディスク７０上にスポットを形成する。一方、光ディスクで反射されたレーザ光は、対物レンズ１７を透過してビームスプリッタ４５によって下方に折り曲げられ、集光レンズ４７及びシリンドリカルレンズ４８を介して、受光素子４９へ入射する。
【００４５】
光ディスク装置５０では、スピンドルモータ５４によって所定の回転数で回転する光ディスク７０に対して、光ピックアップ４２をシークさせることで、受光素子４９から出力される光電変換信号に基づいて、対物レンズ駆動装置１０Ａのフォーカス駆動コイル２２Ａ,２２Ｂ、及びトラック駆動コイル２３Ａ,２３Ｂを駆動することにより、光ディスク７０に形成されたトラックの位置変動に対して対物レンズ１７を追従させて、光ディスク７０に記録された情報を読み取ることができ、また、光ディスク７０に情報の記録を行うことが可能となっている。
【００４６】
以上説明したように、光ピックアップ４２は、本発明の対物レンズ駆動装置１０Ａを備えている。したがって、対物レンズ１７を感度よく駆動することかでき、結果的にレーザ光を精度よく光ディスクのトラック上へ集光することが可能となる。また、対物レンズ駆動装置１０Ａは加速度感度特性および高次共振特性が優れているため、光ディスクを高速回転した場合でも良好な記録再生を行うことができる。なお、上記光ピックアップ４２は対物レンズ駆動装置１０Ａを備えていることとしたが、これに限らず、上記各実施形態に係る、例えば対物レンズ駆動装置１０Ｂ,１０Ｃなどを備えていてもよい。
【００４７】
また、光ディスク装置５０は、光ピックアップ４２を備えている。したがって、光ディスク７０のトラックに精度よくレーザ光を集光することができるので、光ディスク７０に対して、情報の記録及び再生を精度よく行うことが可能となる。
【産業上の利用可能性】
【００４８】
以上説明したように、本発明の対物レンズ駆動装置は、光ディスクに対する情報の記録及び再生を行う際に、対物レンズを高感度に駆動するのに適している。また、本発明の光ピックアップはレーザ光を光ディスクのトラックへ精度よく集光するのに適している。また、本発明の光ディスク装置は、光ディスクに対する情報の記録及び再生を精度よく行うのに適している。
【図面の簡単な説明】
【００４９】
【図１】第１の実施形態に係る対物レンズ駆動装置１０Ａの概略的な構成を示す斜視図である。
【図２】対物レンズ駆動装置１０Ａの構造を説明するための図である。
【図３】対物レンズ駆動装置１０Ａのコイルユニット２０を示す斜視図である。
【図４】対物レンズ駆動装置１０Ａのヨーク部材２１をベース１２とともに示す斜視図である。
【図５】対物レンズ駆動装置１０Ａに形成される磁気回路を説明するための図である。
【図６】第２の実施形態に係る対物レンズ駆動装置１０Ｂの概略的な構成を示す斜視図である。
【図７】対物レンズ駆動装置１０Ｂのコイルユニット２０を示す斜視図である。
【図８】対物レンズ駆動装置１０Ｂに形成される磁気回路を説明するための図である。
【図９】第３の実施形態に係る対物レンズ駆動装置１０Ｃの概略的な構成を示す斜視図である。
【図１０】対物レンズ駆動装置１０Ｃのベース１２を示す斜視図である。
【図１１】対物レンズ駆動装置１０Ｃに形成される磁気回路を説明するための図である。
【図１２】対物レンズ駆動装置１０Ｃの変形例を示す図（その１）である。
【図１３】対物レンズ駆動装置１０Ｃの変形例を示す図（その２）である。
【図１４】駆動磁石１９の変形例を示す図（その１）である。
【図１５】駆動磁石１９の変形例を示す図（その２）である。
【図１６】図１６（Ａ）は、光ディスク装置５０の平面図であり、図１６（Ｂ）は、光ディスク装置５０の側面図である。
【図１７】光ピックアップ４２の概略的な構成を示す図である。
【符号の説明】
【００５０】
１０Ａ,１０Ｂ,１０Ｃ…対物レンズ駆動装置、１２…ベース、１２ａ…第２ヨーク部、１２ｂ…第１ヨーク部、１２ｃ…円形開口、１４…支持部材、１６…対物レンズ保持部材、１６ａ…連結部、１７…対物レンズ、１８…支持ワイヤ、１９…駆動磁石、２０…コイルユニット、２１…ヨーク部材、２１ａ…フレーム部、２１ｂ,２１ｅ…第２ヨーク部、２１ｃ,２１ｄ…第１ヨーク部、２２Ａ,２２Ｂ…フォーカス駆動コイル、２３Ａ,２３Ｂ,２３１〜２３４…トラック駆動コイル、４２…光ピックアップ、４３…光源、４４…コリメートレンズ、４５…ビームスプリッタ、４６…立ち上げミラー、４７…集光レンズ、４８…シリンドリカルレンズ、４９…受光素子、５０…光ディスク装置、５１…筐体、５２…防振ゴム、５３…ピックアップモジュールベース、５４…スピンドルモータ、５５…シークレール、７０…光ディスク。
【図１】
2008159099.tif 000003
【図２】
2008159099.tif 000004
【図３】
2008159099.tif 000005
【図４】
2008159099.tif 000006
【図５】
2008159099.tif 000007
【図６】
2008159099.tif 000008
【図７】
2008159099.tif 000009
【図８】
2008159099.tif 000010
【図９】
2008159099.tif 000011
【図１０】
2008159099.tif 000012
【図１１】
2008159099.tif 000013
【図１２】
2008159099.tif 000014
【図１３】
2008159099.tif 000015
【図１４】
2008159099.tif 000016
【図１５】
2008159099.tif 000017
【図１６】
2008159099.tif 000018
【図１７】
2008159099.tif 000019